(57)【要約】【課題】  エレベーターのかご室に設けられた撮像手段を用いて乗場の不審者を発見できるエレベーターを用いたビルの防犯装置を得ること。【解決手段】  モータ９を駆動することによりかご室２を移動させてビルの防犯を成すエレベーターを用いたビルの防犯装置において、かご室２内に設けられると共に、かご室内及び乗場付近を撮像する防犯カメラ１と、乗場呼び釦１５ａ及びかご呼び釦５ａが押されたか否かを検出する呼び検出部２８ａと、呼び検出部２８ａにより乗場呼び釦１５ａ及びかご呼び釦５ａが押されていないことを検出することによりかご室１を特定の階床に移動させる移動制御部２８ｆと、を備えたものである。【選択図】      図１
2008222314.tif 000002
【特許請求の範囲】
【請求項１】
モータを駆動することによりかご室を移動させてビルの防犯を成すエレベーターを用いたビルの防犯装置において、
前記かご室内に設けられると共に、前記かご室内及び乗場付近を撮像する撮像手段と、
乗場呼び釦及びかご呼び釦が押されたか否かを検出する呼び検出手段と、
前記呼び検出手段により乗場呼び釦及びかご呼び釦が押されていないことを検出することにより前記かご室を特定の階床に移動させる移動制御手段と、
を備えたエレベーターを用いたビルの防犯装置。
【請求項２】
前記移動制御手段における特定の階床に移動させるとは、各階停止運転である、
ことを特徴とする請求項１に記載のエレベーターを用いたビルの防犯装置。
【請求項３】
前記かご室には、前記撮像手段により前記乗場付近を撮像する鏡が設けられている、
ことを特徴とする請求項１又は２に記載のエレベーターを用いたビルの防犯装置。
【発明の詳細な説明】
【技術分野】
【０００１】
本発明は、エレベーターのかご室のカメラ用いて乗場付近の監視を成すビルの防犯装置に関するものである。
【背景技術】
【０００２】
従来のエレベーターを用いたビルの防犯装置は、監視カメラを用いてビルの監視を行うようにしたビルの防犯設備において、監視カメラをビルに設けられたエレベーターかご内に設け、かつ、所定階床のエレベーター乗場出入り口付近に、不審者侵入検出器を設け、この侵入検出器が不審者を検出した時、かごをこの所定階床に移動させ、監視カメラを作動させて不審者の撮影を行うようにしたものである(特許文献１参照）。
【０００３】
このようなビルの防犯装置によれば、最小限の監視カメラ台数によりエレベーターが就役する全階床の状況を効率的に監視することができる。
【０００４】
【特許文献１】２００１−３０２１３３号公報
【発明の開示】
【発明が解決しようとする課題】
【０００５】
しかし、上記エレベーターを用いたビルの防犯装置では、所定階床のエレベーター乗場出入り口付近に、不審者侵入検出器を設け、この侵入検出器が不審者を検出した時、かごをこの所定階床に移動させるようにしたので、侵入検出器が必要となり防犯装置が煩雑になるという課題があった。
【０００６】
本発明は上記課題を解消するためになされたもので、不審者侵入検出器を不要にすると共に、エレベーターのかご室に設けられた撮像手段を用いて乗場の不審者を発見できるエレベーターを用いたビルの防犯装置を提供することを目的とする。
【課題を解決するための手段】
【０００７】
第１の発明に係るエレベーターを用いたビルの防犯装置は、モータを駆動することによりかご室を移動させてビルの防犯を成すエレベーターを用いたビルの防犯装置において、エレベーターのかご室内に設けられると共に、前記かご室内及び乗場付近を撮像する撮像手段と、乗場呼び釦及びかご呼び釦が押されたか否かを検出する呼び検出手段と、前記撮像手段により前記かご室に乗客が乗っているか否かを検出する乗客検出手段と、前記呼び検出手段により乗場呼び釦及びかご呼び釦が押されていないことを検出することにより前記かご室を特定の階床に移動させる移動制御手段と、を備えたことを特徴とするものである。
【０００８】
第２の発明に係るエレベーターを用いたビルの防犯装置は、移動制御手段における特定の階床に移動させるとは、各階停止運転である、ことを特徴とするものである。
【０００９】
第３の発明に係るエレベーターを用いたビルの防犯装置は、かご室には、撮像手段により乗場付近を撮像する鏡が設けられている、ことを特徴とするものである。  
【発明の効果】
【００１０】
第１の発明によれば、不審者侵入検出器を不要にすると共に、エレベーターのかご室に設けられた撮像手段を用いて乗場の不審者を発見できるという効果がある。
【００１１】
第２の発明によれば、移動制御手段は特定階が各階停止運転であるので、撮像手段により各階の乗場の状況を撮像できるという効果がある。
【００１２】
第３の発明によれば、かご室には、鏡が設けられており、該鏡を介して乗場付近を撮像手段により撮像するという効果がある。
【発明を実施するための最良の形態】
【００１３】
実施の形態1．
本発明の一実施の形態を図１及び図２を参照して説明する。図１は一実施の形態を示すエレベーターを用いたビルの防犯装置の全体構成図、図２は図１に示すエレベーター付近の平面断面図である。
図１において、エレベーターを用いたビルの防犯装置は、巻上げ機７を介してモータ９により上下動させるかご室２と、かご室２から離れた場所に設けられた管理装置２０とを有している。
かご室２には、かご呼び釦５ａを複数有するかご操作盤５が前側の側壁に固定され、上部の側壁に撮像手段としての防犯カメラ１とが設けられており、かご室２内及び図２に示すように乗場を撮像できる防犯カメラ１が上部に固定されている。各階の乗場には、複数の乗場呼び釦１５ａを有する乗場操作盤１５が設けられている。
【００１４】
管理装置２０には、防犯カメラ１の映像を表示する映像表示器２２と、防犯カメラ１の映像を記録する映像記録器２４と、巻上げモータ９を制御する制御器２８とを備えている。
制御器２８は、乗場呼び釦１５a及びかご呼び釦５ａが押された否かを検出する呼び検出部(呼び検出手段)２８ａと、防犯カメラ１によりかご室２に乗客が乗っているか否かを検出する乗客検出部(乗客検出手段)２８ｃと、呼び検出部２８ａにより乗場呼び釦１５ａ及びかご呼び釦５ａが押されていないことを検出すると共に、乗客検出部２８ｃによりかご室２に乗客が乗っていないことを検出してかご室２を特定の階床に移動させる移動制御部(移動制御手段)２８ｆとを備えている。
【００１５】
上記のように構成されたエレベーターを用いたビルの防犯装置を図１乃至図４によって説明する。いま、５階床のビルにエレベーターが設置されており、図３に示すように、かご室２が３階に停止しているとすると、呼び検出部２８ａは乗場呼び釦１５a及びかご呼び釦５ａが押されたか否かを判断し(ステップＳ１０１)、押されていないと判断すると、乗客検出部２８ｃは防犯カメラ１によりかご室２内を撮像して、該撮像情報より画像処理して乗客の有無を判断し(ステップＳ１０３)、乗客が存在していると判断すると、制御器２８は所定の時間経過したか否かを判断する(ステップＳ１０５)。
【００１６】
所定時間経過すると、移動制御部２８ｆは駆動指令を発生してモータ９を駆動することにより、かご室２を最下階、例えば１階に移動する(ステップＳ１０７)。がご室２が１階に移動すると、制御器２８は戸開放指令を発生して戸を開放し(ステップＳ１０９)、防犯カメラ１により乗場付近を撮像して、その撮像画像を画像表示器２２に表示すると共に、画像録画器２４に記憶する。制御器２８は所定の待機時間が経過した否かを判断し(ステップＳ１１１)、所定時間経過すると、制御器２８は戸閉め指令を発生して戸閉めし(ステップＳ１１３)、かご室２が最上階に停止しているか否かを判断し(ステップＳ１１５)、最上階ではないと判断すると、移動制御部２８ｆは、駆動指令を発生してモータ９を駆動することにより、かご室２を２階に移動して停止する(ステップＳ１２７)。そして上記ステップＳ１０９〜Ｓ１２７を繰り返し、かご室２が３階，４階、最上階(５階)に移動して終了する。
【００１７】
上記ステップＳ１１１において、呼び検出部２８ａは、かご呼び釦５ａ又は乗場呼び釦１５ａが押されたか否かを判断し(ステップＳ１２１)、押されていないと判断すると、上記ステップＳ１１１に移行する。一方、ステップＳ１２１において押されていると判断すると、かご呼び釦５ａ又は乗場呼び釦１５ａにより指示された階へかご室２を走行し(ステップＳ１２３)、移動する(ステップＳ１２５)。
【００１８】
上記実施の形態によれば、不審者侵入検出器を不要にすると共に、エレベーターのかご室２に設けられた防犯カメラ１を用いて乗場の不審者を発見できる。
【００１９】
実施の形態２．
本発明の他の実施の形態を図５によって説明する。図５は他の実施の形態を示すエレベーター付近の平面断面図である。
図５において、かご室２の上部側壁に凸面鏡１０６が固定されており、乗場の門部にも鏡１０９が固定されている。これにより、防犯カメラ１が凸面鏡１０６又は鏡１０９を介して乗場付近を撮像できる。
【産業上の利用可能性】
【００２０】
本発明は、エレベーターを用いてビルの防犯装置に適用できる。
【図面の簡単な説明】
【００２１】
【図１】本発明の一実施の形態を示すエレベーターを用いたビルの防犯装置の全体構成図である。
【図２】図1に示すエレベーター付近の平面断面図である。
【図３】図１に示すエレベーターを用いて乗場付近を撮像する際の動作説明図である。
【図４】図１のエレベーターの動作を示すフローチャートである。
【図５】本発明の他の実施の形態を示すエレベーター付近の平面断面図である。
【符号の説明】
【００２２】
１  防犯カメラ、２  かご室、５ａ  かご呼び釦、９  モータ、１５ａ  乗場呼び釦、２８  制御器、２８ａ  呼び検出部、２８ｂ  乗客検出部、２８ｆ  移動制御部、１０６  鏡。
【図１】
2008222314.tif 000003
【図２】
2008222314.tif 000004
【図３】
2008222314.tif 000005
【図４】
2008222314.tif 000006
【図５】
2008222314.tif 000007